(57)【要約】      （修正有）【課題】扉を折畳む際に、両扉間の隙間に手や足の指を挟むことがなく、しかも長期間使用しても、スムースに回動して折畳むことができ、摩擦音が発生することがない構造の回転折れ戸を提供する。【解決手段】ヒンジ手段は、互いに噛み合う一対の歯車２１と、前記歯車２１とともに同軸で回動する一対のアーム材２２を有してなり、第１扉３と第２扉４は、上下端部において各アーム材２２に固定されて縦連結枠部材５の外周面と各縦枠材１６の幅方向の両端の突出部１６ａとの間に所定間隔の隙間を有して回動可能に構成され、前記各縦枠材１６の各突出部１６ａに前記隙間を塞ぐためのスペーサ１７が長さ方向に沿って装着されて、前記各スペーサ１７が前記各歯車２１の軸を中心に前記縦連結枠部材５の外周面に沿って回動するように構成されている。【選択図】図４
2008255773.tif 000002
【特許請求の範囲】
【請求項１】
第１扉と第２扉が一鉛直面に沿い隣接し、前記第１扉と第２扉は、各縦枠材が近接する各平面の両端を外側に突出させてそれぞれ横断面がコ字状であって、前記各縦枠材の長手方向に並行して配置される縦連結枠部材の上下端部に設けられたヒンジ手段に前記各縦枠材の上下端部が連結されて前記縦連結枠部材を挟んで折り畳み可能に構成される回転折れ戸であって、
前記ヒンジ手段は、互いに噛み合う一対の歯車と、前記歯車とともに同軸で回動する一対のアーム材を有してなり、
前記第１扉と第２扉は、上下端部において前記各アーム材に固定されて前記縦連結枠部材の外周面と前記各縦枠材の幅方向の両端の突出部との間に所定間隔の隙間を有して回動可能に構成され、前記各縦枠材の各突出部に前記隙間を塞ぐためのスペーサが長さ方向に沿って装着されて、前記各スペーサが前記各歯車の軸を中心に前記縦連結枠部材の外周面に沿って回動するように構成されていることを特徴とする回転折れ戸。
【請求項２】
前記縦連結枠部材は、中心軸を有し横断面がＣ字状の２つのＣ字部材を円弧部分が外側となるように対向配置されて横断面がメガネ形状であって、前記Ｃ字部材の中心軸に前記歯車及びアーム材が同軸に装着されている請求項１に記載の回転折れ戸。
【請求項３】
前記一対の歯車には、横断面が前記縦連結枠部材の横断面にほぼ等しい歯車カバーを被着してある請求項１又は２の何れか１項に記載の回転折れ戸。
【請求項４】
前記アーム材は金属板で形成され、一端に円環部が形成され、前記円環部から舌片が延在して途中から直角に折れ曲がって垂直なストッパー部が形成され、該ストッパー部から延在する舌片は他端の所定長さ手前において直角に折り返されて前記各扉の上又は下の端面に取付られる装着片が形成されてなる請求項１〜３の何れか１項に記載の回転折れ戸。
【請求項５】
前記アーム材は金属板で形成され、一端に円環部が形成され、前記円環部から舌片が延在して途中から直角に折れ曲がって前記縦枠材の幅方向における前記突出部間の平坦面に取付けられる装着片が形成されてなる請求項１〜３の何れか１項に記載の回転折れ戸。
【発明の詳細な説明】
【技術分野】
【０００１】
本願発明は、一鉛直面に沿い隣接する第１扉と第２扉とが縦連結枠部材とヒンジ手段で連結されて折り畳み可能に構成される回転折れ戸に関するものである。
【背景技術】
【０００２】
この種の回転折れ戸は、第１扉と第２扉の連結側の各縦框が横断面円弧状に形成されている。そして、各扉は、扉パネルと縦框が一体もしくは別体で構成され、両扉間において縦框同士の間に隙間があり、扉によって室内を閉じる様に回動すると隙間が塞がれるように構成されている。したがって、扉を閉じる操作において、両扉の縦框間の隙間に人が手や足の指を挟んでしまうような不慮の事故が発生するので、このような事故を防止できる扉連結構造が提案されている。
【０００３】
例えば、特開２００１−２６２９４９号公報の可動式連結パネルは、縦框の先端面が横断面円弧状面を基本とした曲面にすると共に、曲面のパネル本体側部分に凹部を設けた端部構成を有してパネルを形成し、この曲面同士に僅かな間隙を保って対向させ、両曲面間に沿って、前後部を巾広に中間部を巾狭に形成した横断面の介装部材を接合させてパネルを回転可能に連結したものである。この可動式連結パネルによれば、パネル端面が曲面となり、パネル間隙が介装部材によって塞がれているので、室内空間を閉じた状態では仕切られる反対側が透けて見えることもなく、また指を挟んでしまう虞も生じさせないものである。
【０００４】
また、特表平９−５１２５９７号公報の連結リンクのための装置は、隣接する構造部材１，２の縁部４の各端に一対の連結部材１４，１５が備えられ、連結部材の各々の歯−リム付きセグメント２３，２４により対応する動きを与えられ、前記歯−リム付きセグメント２３，２４の湾曲中心を互いから一定した距離に保持するための手段が備えられている例えば２つの扉板、扉と扉枠、テーブル板などの２つの構造部材の間の連結リンクのための装置であって、前記手段が細長い輪郭付けされた本体３で構成され、該本体３が滑らかで閉じた周面を有し、また該本体３が前記２対の連結部材１４，１５の間を延在するとともに、構造部材１，２の前記縁部４の間の空間を充足するように設計されていること、この輪郭付けされた該本体３が横断面において各端に位置する丸い部分６，７と、該丸い部分６，７よりも小さな断面を有する中央の括れ部分とを有すること、および前記縁部４がそれぞれ補完的な丸い部分を有して作られており、該丸い部分は輪郭付けされた本体３の前記丸い部分６，７に等しいかそれよりも小さい円弧に沿って拡がっているものである。そして、隣接する縁部に沿う中央にて輪郭付けされた本体３が円筒セグメント雌部分４，５との係合を解除するのを防止するために、面４，５は常にオーバーハング部分４'，５'を備えており、このようにしてニージョイント（本体）３をガイドする。前記面４，５は１２０度〜２１０度（好ましいとされる角度は１６５度）に等しい角度の円弧に沿って拡がっていることが好ましいものである。
【特許文献１】特開２００１−２６２９４９号公報
【特許文献２】特表平９−５１２５９７号公報
【発明の開示】
【発明が解決しようとする課題】
【０００５】
しかしながら、上記特開２００１−２６２９４９号公報の可動式連結パネルのように、各扉の断面円弧状の縦框間の隙間に介装部材を接合させる構造の場合、長期間の使用により介装部材が磨耗したり弾力性が失われたりするばかりでなく、扉の連結部の間隙から介装部材に位置ずれが生じて扉と介装部材との摩擦が大きくなる虞がある。このような場合、扉をスムースに折畳むことができなくなったり、介装部材が破損したり、脱離してしまうことがある。また、介装部材の磨耗や位置ずれにより、扉を回動する際に摩擦音が激しくなるばかりでなく、介装部材が破損してしまう虞がある。
【０００６】
また、上記特表平９−５１２５９７号公報の連結リンクのための装置は、隣接する縁部に沿う中央にて輪郭付けされた本体３が円筒セグメント雌部分４，５との係合を解除するのを防止するために、面４，５は常にオーバーハング部分４'，５'を備えて、ニージョイント（本体）３をガイドし、前記面４，５は１２０度〜２１０度（好ましいとされる角度は１６５度）に等しい角度の円弧に沿って拡がっているものである。そのため、隣接する構造部材は、オーバーハング部分４'，５'が離れている位置から当接する位置までオーバーハング部分４'，５'を手前に引く方向に開閉動作できるが、オーバーハング部分４'，５'を押し込む方向に開かせることができないため、取り付けた後で開閉方向を変更できず不便である。また、隣接する構造部材は、前記歯−リム付きセグメントの湾曲中心を互いから一定した距離に保持されてその縁部が本体周面を回動する構造であるため、湿気や温度の変化により構造部材が反ってくると、縁部と本体周面に隙間を設けないようにすると構造部材の縁部と本体周面の摩擦が大きくなってスムースに扉を折畳むことができなくなることがある。また、縁部と本体周面との隙間を大きくすると、構造部材で遮断された内外の空間相互の断熱性や遮音性が悪くなるし、隙間風が通過して保温性が悪くなる。
【０００７】
本発明は上記課題を解決するもので、縦連結枠部材を手前側もしくは反対側に突出させつつ開閉操作でき、扉を折畳む際に両扉間の隙間に人が手や足の指を挟んでしまうことが防止され、長期間使用してもスムースに扉を折畳むことができ、また摩擦音が発生することがないようにした回転折れ戸を提供するものである。
【課題を解決するための手段】
【０００８】
請求項１に記載の発明は、第１扉と第２扉が一鉛直面に沿い隣接し、前記第１扉と第２扉は、各縦枠材が近接する各平面の両端を外側に突出させてそれぞれ横断面がコ字状であって、前記各縦枠材の長手方向に並行して配置される縦連結枠部材の上下端部に設けられたヒンジ手段に前記各縦枠材の上下端部が連結されて前記縦連結枠部材を挟んで折り畳み可能に構成される回転折れ戸であって、前記ヒンジ手段は、互いに噛み合う一対の歯車と、前記歯車とともに同軸で回動する一対のアーム材を有してなり、前記第１扉と第２扉は、上下端部において前記各アーム材に固定されて前記縦連結枠部材の外周面と前記各縦枠材の幅方向の両端の突出部との間に所定間隔の隙間を有して回動可能に構成され、前記各縦枠材の各突出部に前記隙間を塞ぐためのスペーサが長さ方向に沿って装着されて、前記各スペーサが前記各歯車の軸を中心に前記縦連結枠部材の外周面に沿って回動するように構成されていることを特徴とする回転折れ戸である。
【０００９】
また請求項２に記載の発明は、前記縦連結枠部材は、中心軸を有し横断面がＣ字状の２つのＣ字部材を円弧部分が外側となるように対向配置されて横断面がメガネ形状であって、前記Ｃ字部材の中心軸に前記歯車及びアーム材が同軸に装着されている請求項１に記載の回転折れ戸である。
【００１０】
また請求項３に記載の発明は、前記一対の歯車には、横断面が前記縦連結枠部材の横断面にほぼ等しい歯車カバーを被着してある請求項１又は２の何れか１項に記載の回転折れ戸である。
【００１１】
また請求項４に記載の発明は、前記アーム材は金属板で形成され、一端に円環部が形成され、前記円環部から舌片が延在して途中から直角に折れ曲がって垂直なストッパー部が形成され、該ストッパー部から延在する舌片は他端の所定長さ手前において直角に折り返されて前記各扉の上又は下の端面に取付られる装着片が形成されてなる請求項１〜３の何れか１項に記載の回転折れ戸である。
【００１２】
また請求項５に記載の発明は、前記アーム材は金属板で形成され、一端に円環部が形成され、前記円環部から舌片が延在して途中から直角に折れ曲がって前記縦枠材の幅方向における前記突出部間の平坦面に取付けられる装着片が形成されてなる請求項１〜３の何れか１項に記載の回転折れ戸である。
【発明の効果】
【００１３】
本発明の回転折れ戸によれば、２つの扉間に長尺な縦連結枠部材を介在させて折畳み可能に構成し、２つの扉は縦連結枠部材の離間した２つの軸を支点にしてそれぞれ回動させて、縦連結枠部材を手前側もしくは反対側に突出させつつ開閉操作できるようにしてあるから、扉を折畳む際に両扉間の隙間に人が手や足の指を挟んでしまう事故を確実に防止することができる。
【００１４】
また、左右の２つの扉は、ヒンジ手段を介在して縦連結枠部材の上下端に取付けられ、各扉が中空枠状の縦連結枠部材によって強固に支持されているので、長期間使用してもスムーズに回動して折畳むことができ、扉を折畳む際にきしみ音が発生することもなく、実用的で優れた効果を奏するものである。
【発明を実施するための最良の形態】
【００１５】
以下、図面に基づいて本発明の実施の形態を詳細に説明する。
【実施例１】
【００１６】
図１は、本発明の実施例１における回転折れ戸を備えた扉設備全体の正面図、図２は、図１における回転折れ戸の回動状態を示す説明図、図３は、図１のＡ−Ａ線断面図、図４は、図１における連結部分の分解斜視図、図５は、図１のヒンジ手段の一部欠截分解正面図、図６は、図１のヒンジ手段の縦断面図、図７は、ヒンジ手段の作用を説明するための概略説明図である。
【００１７】
図１において、回転折れ戸１の基本構造は、横幅の広い第１の扉３と横幅の狭い第２の扉４と、各扉の縦框に沿う縦方向の縦連結枠部材５との組合せからなり、両扉３、４は、門型の扉枠体２に取り付けられている。第２の扉４は、扉枠体２の右端部に回転可能に支持されている。そして、第１の扉３と第２の扉４とが縦連結枠部材５を介して一鉛直面に沿って隣接して配置され、第１の扉３と第２の扉４の各上下端部が、縦連結枠部材５の上下端部において後述するヒンジ手段６により回動可能に連結されて、折り畳み可能となっている。
【００１８】
前記回転折れ戸１は、第１の扉３と第２の扉４との間に介在した縦連結枠部材５を押すか又は引く操作、若しくは第１の扉３の自由端を回動する操作により、前記ヒンジ手段６により軸支されているので重なる方向に回動し、第１の扉３の上端に設けた吊車７が扉枠体２の上部に設けてある吊りレール部材１０に沿って走行しながら相互に重合するように折り畳まれて、第１の扉３が第２の扉４側に引き寄せられることにより、扉枠体２が開放するようになっている。
【００１９】
前記扉枠体２は、左右の縦枠材８、８と、これら左右の縦枠材８、８の上端に両端が固着されて一体化された上枠体９とからなる門型である。そして、一対の縦枠材８、８は、図２に図示すように、細長い縦方向の折曲片８ａに柱部材８ｂが接合された構造であり、各折曲片８ａは、その幅方向に浅く窪む凹部８ｃを設けてある。
また、前記両縦枠材８、８の凹部８ｃに、第１の扉３および第２の扉４の外側縦框を構成するカバー部材１３，１４が臨むようになっている。
【００２０】
図１において第１の扉３の左側面には、縦枠材８に当接若しくは近接する断面半円弧状の前記長尺なカバー部材１３が取付けられている。カバー部材１３内と、カバー部材１３に当接若しくは近接する側の縦枠材８内には、それぞれ図示しない棒磁石が収納され、回転折れ戸１を閉じて、第１の扉３を扉枠体２の縦枠材８に当接させると、磁気作用によって第１の扉３を扉枠体２に閉止する状態を維持するように構成されている。また、図１における第２の扉４の右側面には、第２の扉４を回転可能に支持する回転軸を収納する半円筒状の長尺なカバー部材１４が取付けられている。
【００２１】
前記上枠体９の下部には、吊りレール部材１０が取り付けられている。該吊りレール部材１０は縦断面が矩形枠状で、下部に所定幅の開口１０ｂを設けて下部内面の両側にレール１０ａ、１０ａが形成されている。また、四輪からなる吊車７には、下方に延在する吊持軸７ａが設けられている。この吊持軸７ａの先端は第１の扉３の上面の中央近傍に垂直に固着されており、レール１０ａ、１０ａ上を吊車７が走行することで、吊持軸７ａが、レール１０ａ、１０ａの間隙により構成される開口１０ｂに沿って扉枠体２の左右幅方向に移動して、縦連結枠部材５を手前側もしくは反対側に突出させつつ、第１の扉３を第２の扉４側に折り畳むように回動させることができる。
【００２２】
また、吊りレール部材１０内に扉枠体２の縦枠材８側の端部付近にエアーダンパー１５が設けられ、両扉３、４が閉まるときに吊持軸７ａが固定された四輪の吊車７の一部がエアーダンパー１５のピストンロッド１５ａの先端に当接すると第１の扉３の閉止速度を減速するようにしてある。
【００２３】
第２の扉４の本体部をなす扉パネル１２の図１における右側上端部には、垂直方向に回転軸を有するヒンジ１４ａがカバー部材１４に埋設して取付けられている。また、ヒンジ１４ａの上部は、扉枠体２の吊りレール部材１０にブラケット１４ｂを介してネジにより固着されている。また、扉パネル１２の右側下端部において、図１で示すように円筒状のヒンジ１４ｃが、カバー部材１４に埋設されている。ヒンジ１４ｃの筒内には回転軸１４ｄが嵌合されており、扉パネル１２は、回転軸１４ｄに回転可能に支持されている。回転軸１４ｄは、図示しないスラストベアリングに植設されており、スラストベアリングは、扉枠体２の右側縦枠材８に取り付けられたブラケットの水平な突出片８ｄに固着されている。したがって第２の扉４の荷重は、スラストベアリングの回転軸の植設面により受けられる。これにより第２の扉４は、扉枠体２の右端部において上下の端部が回転可能に支持されている。
【００２４】
第１の扉３の本体部をなす扉パネル１１は、その幅方向中央付近の位置、即ち、第２の扉４の回転する半径に相当する位置において、吊持軸７ａにより上面が扉枠体２の吊りレール部材１０に回転可能に吊持され、また、その右側の第２の扉４との連結部側の上下端部が縦連結枠部材５の上下端部と折り畳み可能に連結されるとともに、第２の扉４の左側上下端部と縦連結枠部材５の上下端部とが折り畳み可能に連結されて支持されることにより、扉枠体２に取り付けられている。
【００２５】
吊車７は、その台板７ｂに回転可能に取り付けられた４つの車輪７ｃが、レール１０ａ、１０ａ上を走行可能である。その走行範囲は、回転扉３が閉鎖状態にあるときの位置から、回転扉３が完全に開放されたときの上枠体９の右端近傍の位置までである。
【００２６】
次に、図３〜図６を参照して第１の扉３の右側上下端部が縦連結枠部材５の上下端部と折り畳み可能に連結されるとともに、第２の扉４の左側上下端部と縦連結枠部材５の上下端部とが折り畳み可能に連結されて支持される構造を説明する。
【００２７】
第１の扉３及び第２の扉４は、扉パネル１１，１２の左右の対向側面に、縦框としての補強用の縦枠材１６，１６が設けられている。そして、各縦枠材１６の上下端部には、金属板で形成され、一端に中心孔２２ａ及び中心孔２２ａに隣接してその両側に歯車取付け孔２２ｆが設けられた円環部２２ｂを有するアーム材２２が設けられている。
【００２８】
アーム材２２は、円環部２２ｂが歯車取付け部となっていて、円環部２２ｂから舌片２２ｃが同一面上に延在し、舌片２２ｃは途中から直角に折れ曲がって垂直なストッパー部２２ｄが形成され、該ストッパー部２２ｄから延在する舌片は他端の所定長さ手前において直角に折り返されて他端からその所定長さ手前までがアーム材２２を扉パネル１１又は１２の上下の端面に取り付けるための装着片２２ｅとなっている。なお、装着片２２ｅは円環部２２ｂと平行に形成されていて、扉パネル１１，１２への取り付け孔２２ｇが複数設けられている。
【００２９】
補強用の縦枠材１６は、略コ字状の横断面形状をなし、幅方向の中央が平面であって、その両端に直角に突き出す角筒状の突出部１６ａ，１６ａが長手方向に沿って設けられている。突出部１６ａは、外側の面がこれと平行な内側の面よりも長く突き出して先端角部１６ｂが鋭角に形成されている。したがって、補強用の縦枠材１６は幅方向の両側にわずかの幅の突出部１６ａを残して浅く窪んだ凹部１６ｃが形成される。また、縦枠材１６の幅方向の両端の突出部１６ａ，１６ａの先端の面には、外側と内側の平行な面間に長手方向に沿って直線状の隙間が形成されており、この直線状の隙間には、樹脂又はゴムからなる長尺なスペーサ１７が長さ方向に沿って装着されている。
【００３０】
そして、補強用の縦枠材１６は、上記浅く窪んだ凹部１６ｃを前記縦連結枠部材５の方向に向けるようにして配置され、これら両縦枠材１６，１６の凹部１６ｃ，１６ｃに、縦連結枠部材５の外周面が、それぞれ部分的に受容されるようになっている。また、第１の扉３及び第２の扉４において、両縦枠材１６，１６は、扉パネル１１，１２の側部の端面に装着され、図示しない数本のネジにより止着されて一体化されている。
【００３１】
長尺な縦連結枠部材５は、２つのＣ字部材５ａ，５ａを円弧壁部５ｂ，５ｂが外側となるようにして対向配置させ一体化して構成され、横断面がメガネ形状の中空枠である。この縦連結枠部材５は、各円弧壁部５ｂ，５ｂの中心に軸孔５ｃ，５ｃを成形してあり、各軸孔５ｃ，５ｃが、それぞれ３つのリブ５ｄ，５ｄ，５ｄにより円弧壁部５ｂに接続されている。この縦連結枠部材５は、アルミニウム又はその合金の押し出し成型品である。
【００３２】
次に、ヒンジ手段６を組み立てて第１の扉３及び第２の扉４を縦連結枠部材５に回動可能に取り付ける手順について説明する。
【００３３】
アーム材２２，２２は、各円環部２２ｂ，２２ｂの各孔２２ａ，２２ａにブシュ２４，２４が嵌合され、各円環部２２ｂ，２２ｂ上に歯車カバー保持部材３０が載置される。歯車カバー保持部材３０は、底部にローラ挿通孔３０ａ，３０ａが設けられてメガネ状に形成されている。ローラ挿通孔３０ａには、肉薄の樹脂製円筒材からなるローラ３１が遊嵌される。ローラ３１には、アーム材２２の円環部２２ｂに同軸に配置したときに、円環部２２ｂに設けられた一対の歯車取付け孔２２ｆと合致する位置に一対の孔３１ｂが設けられている。
【００３４】
また、一対の歯車２１、２１は、それぞれ中心に円筒状の突出部２１ａを有し、中心に孔２１ｂが設けられ、また、孔２１ｂに隣接してその両側に取り付け用の孔２１ｃが設けられている。一対の歯車２１、２１は、互いに噛み合わされてローラ３１，３１上に載置され、各突出部２１ａをローラ３１の軸孔３１ａに遊嵌される。その後、一対の歯車２１、２１は、各孔２１ｃにネジ２３が挿入されて、ローラ３１の孔３１ｂに挿通され、アーム材２２の円環部２２ｂの歯車取付け孔２２ｆに螺合される。こうして、一対の歯車２１、２１がローラ３１とともにそれぞれアーム材２２の円環部２２ｂに固定されると、ブシュ２４が円環部２２ｂの孔２２ａに遊嵌され、ローラ３１の軸孔３１ａに遊嵌されている歯車２１の突出部２１ａと当接するとともに、アーム材２２の円環部２２ｂの孔２２ａから所定量突出した状態となる。
【００３５】
そして、連結板２５の一対の軸取り付け孔２５ａ，２５ａ、一対の歯車２１の中心孔２１ｂ，２１ｂ、ブシュ２４の中心孔２４ａ，２４ａを合致させて、一対の軸部材２６を連結板２５の一対の軸取り付け孔２５ａに一連に挿通して同軸に配置し、外観がメガネ型形状で下面が開口し、横断面が縦連結枠部材５の横断面にほぼ等しい箱状の歯車カバー２７を、上側から被着しておく。軸部材２６は、頭部から途中までの胴部は周面が鏡面仕上げされた軸部２６ａとなっており、先端部から特定の長さだけ雌ネジ造成用のネジ２６ｂが切られているものである。
【００３６】
歯車カバー２７は、底面の縁部に円弧状をした水抜き用のスリット２７ａが部分的に開設され、また、底面の中央付近には、連結板２５を収納したときに、連結板２５に設けられた軸取り付け孔２５ａ、２５ａと一致する位置に孔２７ｂ、２７ｂが形成され、また、連結板２５に設けられたネジ止め用の孔２５ｂ、２５ｂと一致する位置に孔２７ｃ、２７ｃが形成されている。したがって、歯車カバー２７を歯車２１などに被着して、ビス２８を孔２７ｃから孔２５ｂに通して連結板２５止着すると共に歯車カバー２７を歯車カバー保持部材３０に接合することでヒンジ手段６の組み立てが完了する。
【００３７】
これにより、歯車カバー保持部材３０がローラ３１をローラ挿通孔３０ａから所定量突出させて固定され、また、歯車カバー保持部材３０は、アーム材２２との間に隙間を有して非接触となりアーム材２２を回動可能とする。
【００３８】
ヒンジ手段６は、縦連結枠部材５の上下の端面５ｅにブシュ２４を当接させるようにして配置される。縦連結枠部材５は、アルミニウム又はその合金製であって、軸孔５ｃの内面に軸方向に等角度に線状に突出した複数の突条５ｆが設けられている。軸部材２６は、縦連結枠部材５の軸孔５ｃに差し込まれて、突条５ｆに雌ネジを造成しながら止着される。これにより、歯車カバー２７の開口端面を、これと開口端面がほぼ等しい歯車カバー保持部材３０に合致させて接合され、ヒンジ手段６が縦連結枠部材５に取り付けられる。
【００３９】
第１の扉３及び第２の扉４は、縦連結枠部材５に取り付けられたヒンジ手段６，６の各アーム材２２，２２の装着片２２ｅ，２２ｅ間に、縦連結枠部材５を間に挟んで、それぞれの縦枠材１６，１６が近接するようにして配置される。そして、第１の扉３及び第２の扉４は、両縦枠材１６，１６の凹部１６ｄ中央の平面にアーム材２２のストッパー部２２ｄの外面を当接させ、アーム材２２の装着片２２ｅを扉パネル１１，１２の上下の端面に配置され、この状態で、装着片２２ｅに設けた複数の取り付け孔２２ｇにネジ１８が差し込まれて止着され、アーム材２２を介して縦連結枠部材５に取り付けられる。
【００４０】
次に、図７を参照してヒンジ手段６の動作について説明する。
ヒンジ手段６は、縦連結枠部材５と第１の扉３を回動可能に連結し、また、縦連結枠部材５と第２の扉４を回動可能に連結する。そしてヒンジ手段６は、縦連結枠部材５の一方の軸孔５ｃを中心に第１の扉３を回動可能に支持し、また、縦連結枠部材５の他方の軸孔５ｃを中心に縦連結枠部材５と第２の扉４を回動可能に支持する。
【００４１】
第１扉３と第２扉４は、縦連結枠部材５の上下端部において各歯車２１，２１の軸部材２６、２６を中心に回動可能であるから、各縦枠材１６がＣ字部材５ａの外側周面に沿って回動する。この場合、縦連結枠部材５の外周面と各縦枠材１６の幅方向の両端の突出部１６ａとの間に所定間隔の隙間Ｇを有して回動可能に構成されるが、各縦枠材１６の各突出部１６ａにスペーサ１７を装着することで、各歯車２１，２１の軸を中心に回動する各縦枠材１６が、縦連結枠部材５の外周面にスペーサ１７を当接させて隙間Ｇがスペーサ１７により塞がれる。
【００４２】
したがって、湿気や温度の変化により第１扉３や第２扉４が反ってきて各縦枠材１６の各突出部１６ｃと縦連結枠部材５の外周面との隙間Ｇが狭くなり、スペーサ１７と縦連結枠部材５の外周面との摩擦が大きくなってスムースに扉を折畳むことができなくなった場合、スペーサ１７を厚みの薄い他のスペーサに交換してスムースに扉を折畳めるようにすることができる。また、第１扉３や第２扉４の反りが回復して他のスペーサと縦連結枠部材５の外周面との間に隙間Ｇが生じてきたら、元の厚みのあるスペーサ１７に交換して、初期状態に戻して第１扉３と第２扉４を回動させることができる。
【００４３】
本発明の回転折れ戸は、両扉３，４は縦連結枠部材５に取り付けられたヒンジ手段６，６の互いに噛み合うように配置した一対の歯車２１，２１の軸を支点に回動させて、縦連結枠部材を手前側もしくは反対側に突出させつつ開閉操作して折畳み可能であって、縦連結枠部材５の離間した２つの軸が回動支点となるので、扉を折畳む際に両扉３，４間の隙間に人が手や足の指を挟んでしまうことなく、しかも構造として縦連結枠部材５が中空なパイプ状であるから長期間使用してもヒンジ部に位置ずれが生じることはなく、扉を折畳む際に、スムースに折畳むことができ、音が大きくなるような事態は防止される。
【実施例２】
【００４４】
図８は、本発明の実施例２における連結部分の分解斜視図、図９は、図８のヒンジ手段の一部欠截分解正面図、図１０は、図８のヒンジ手段の縦断面図、図１１は、ヒンジ手段の要部の横断面図である。
【００４５】
実施例２は、実施例１におけるアーム材２２に代えて、形状の異なる金属板で形成されたアーム材４２を使用したものであり、アーム材４２の取り付け構造が実施例１と異なるので補強用の縦枠材１６に代えて縦枠材４４を使用している。また、実施例１における縦連結枠部材５と内部構造の異なる縦連結枠部材４５を使用している。
【００４６】
図８〜図１０において、実施例２の回転折れ戸１の基本構造は、第１の扉３と第２の扉４と、各扉の縦框に沿う縦方向の縦連結枠部材５との組合せからなる。以下の説明では、アーム材４２、縦枠材４４、縦連結枠部材４５の説明、第１の扉３と第２の扉４へのアーム材４２の取り付け手順の説明、及び実施例１と異なるヒンジ手段６ａを組み立てる手順の説明をすることとし、実施例１と重複する説明は省略する。なお、ヒンジ手段６ａは、歯車カバー２７、軸部材２６、連結板２５、ベアリング部材３４、歯車２１、アーム材２２等により構成されるものである。
【００４７】
アーム材４２は、一端に中心孔４２ａを有する円環部４２ｂが形成されている。円環部４２ｂが歯車取付け部となっていて、円環部４２ｂから舌片４２ｃが同一面上に延在し、舌片４２ｃは途中から直角に折れ曲がって他端側が装着片４２ｅとなっており、装着片４２ｅは円環部４２ｂと直角に形成されている。
【００４８】
補強用の縦枠材４４は、略コ字状の横断面形状をなし、幅方向の中央が平面であって、その両端に直角に突き出す角筒状の突出部４４ａ，４４ａが長手方向に沿って設けられている。突出部４４ａは、外側の面がこれと平行な内側の面よりも長く突き出して先端角部４４ｂが鋭角に形成されている。したがって、補強用の縦枠材４４は幅方向の両側にわずかの幅を残して浅く窪んだ凹部４４ｃが形成される。凹部４４ｃの底部は長手方向に沿う筒状であって、横断面が矩形枠４４ｄとなっている。そして凹部４４ｃは、底面の長手方向の端部に矩形の切り欠き部４４ｅが設けられている。
【００４９】
長尺な縦連結枠部材４５は、２つのＣ字部材４５ａ，４５ａを円弧壁部４５ｂ，４５ｂが外側となるようにして対向配置させ一体化して構成され、横断面がメガネ形状の中空枠である。この縦連結枠部材４５は、各円弧壁部４５ｂ，４５ｂの中心に軸孔４５ｃ，４５ｃを成形してあり、各軸孔４５ｃ，４５ｃは、それぞれ４つのリブ４５ｄ，４５ｄ，・・により円弧壁部４５ｂ，４５ｂに接続されている。この縦連結枠部材４５は、アルミニウム又はその合金の押し出し成型品である。縦枠材４４の幅方向の両端の突出部４４ａ，４４ａの先端の面には、外側と内側の平行な面間に長手方向に沿って直線状の隙間が形成されており、この隙間には、樹脂又はゴムからなる長尺なスペーサ１７が長さ方向に沿って装着されている。両縦枠材４４，４４は、凹部４４ｃが縦連結枠部材４５に向くようにして並行に配置されると、凹部４４ｃ，４４ｃに縦連結枠部材４５の外側面が、それぞれ部分的に受容されるようになっている。
【００５０】
次に、ヒンジ手段６ａを組み立てる手順を説明する。先ず、ヒンジ手段６ａを組み立てる前に、アーム材４２を第１の扉３及び第２の扉４に取り付けておく。
【００５１】
両縦枠材４４，４４は、その上下端部に形成した矩形の切り欠き部４４ｅから矩形枠４４ｄ内にアーム材４２の装着片４２ｅが挿入されて、アーム材４２と共に扉パネル１１，１２にネジ４８により止着されて第１の扉３及び第２の扉４に組み立てられる。これらの組み立てられた第１の扉３及び第２の扉４は、左右の対向側面において、上下の端部にアーム材４２，４２の円環部４２ｂ，４２ｂが横向きに延在して平行に対向配置された状態である。
【００５２】
次に、第１の扉３及び第２の扉４において、円環部４２ｂと縦連結枠部材４５の軸方向の端面４５ｅとの間に金属製若しくは樹脂のベアリング部材３４を配置する。
【００５３】
また、第１の扉３及び第２の扉４の上端部または下端部において、１対の軸孔２５ａ，２５ａが両歯車の中心間隔で設けられた平板状の連結板２５を一対の歯車２１，２１の上に載置し、連結板２５、歯車２１、ベアリング部材３４及び縦連結枠部材４５の各孔を合致させて配置し、ボルト２６により一連に挿通して止着し、上側から、外観がメガネ型形状で下面が開口した箱状の歯車カバー２７を被着する。
【００５４】
なお、上記した説明は、縦連結枠部材５の上端において第１の扉３及び第２の扉４を回動可能に取り付ける手段について説明したが、縦連結枠部材５の下端においては、ベアリング部材３４、アーム材４２、歯車２１、連結板２５及び歯車カバー２７によって上下逆の手順により取り付けられるものである。
【００５５】
また、縦連結枠部材４５の端部にベアリング２４、アーム材２２、歯車２１、連結板２５及び歯車カバー２７を配置して、歯車カバー２７の孔２７ｂから一連にボルト２６を軸孔５ｂに挿通して止着するとともに、ビス２８を孔２７ｃから孔２５ｂに止着してもよい。
【００５６】
上記ヒンジ手段６ａの動作は、実施例１のヒンジ手段６の動作と同様であるので、その説明については省略する。
【００５７】
本発明の回転折れ戸は、湿気や温度の変化によりスムースに扉を折畳むことができなくなった場合、スペーサ１７を厚みの異なる他のスペーサに交換してスムースに扉を折畳めるようにすることができる。また、両扉３，４は、扉を折畳む際に両扉３，４間の隙間に人が手や足の指を挟んでしまうことなく、しかも構造として縦連結枠部材５が中空なパイプ状であるから長期間使用してもヒンジ部に位置ずれが生じることはなく、扉を折畳む際に、スムースに折畳むことができ、音が大きくなるような事態は防止される。
【図面の簡単な説明】
【００５８】
【図１】実施例１における回転折れ戸を備えた扉設備全体の正面図である。
【図２】図１における回転折れ戸の作用説明図である。
【図３】図１のＡ−Ａ線断面図である。
【図４】図１における連結部分の分解斜視図である。
【図５】図１のヒンジ手段の一部欠截分解正面図である。
【図６】図１のヒンジ手段の縦断面図である。
【図７】図１のヒンジ手段の作用を説明するための概略説明図である。
【図８】実施例２における連結部分の分解斜視図である。
【図９】実施例２におけるヒンジ手段の一部欠截分解正面図である。
【図１０】実施例２におけるヒンジ手段の縦断面図である。
【図１１】ヒンジ手段の要部の横断面図である。
【符号の説明】
【００５９】
１  回転折れ戸
２  扉枠体
３  第１の扉
４  第２の扉
５，４５  縦連結枠部材
５ａ，４５ａ  Ｃ字部材
５ｂ，４５ｂ  円弧壁部
５ｃ，３１ａ，４５ｃ  軸孔
５ｄ，４５ｄ  リブ
５ｅ，４５ｅ  端面
５ｆ  突条
６，６ａ  ヒンジ手段
７  吊車
７ａ  吊持軸
７ｂ  台板
７ｃ  車輪
８  縦枠材
８ａ  折曲片
８ｂ  柱部材
８ｃ  凹部
８ｄ  突出片
９  上枠体
１０  吊りレール部材
１０ａ  レール
１０ｂ  開口
１１，１２  扉パネル
１３，１４  カバー部材
１４ａ，１４ｃ  ヒンジ
１４ｂ  ブラケット
１４ｄ  回転軸
１５  エアーダンパー
１５ａ  ピストンロッド
１６，４４  縦枠材
１６ａ，４４ａ  突出部
１６ｂ，４４ｂ  先端角部
１６ｃ，４４ｃ  凹部
１７  スペーサ
２１  歯車
２１ａ  円筒状の突出部
２１ｂ  歯車の孔
２１ｃ  取り付け用の孔
２２，４２  アーム材
２２ａ，４２ａ  アーム材の孔
２２ｂ，４２ｂ  円環部
２２ｃ，４２ｃ  舌片
２２ｄ  ストッパー部
２２ｅ，４２ｅ  装着片
２２ｆ  歯車取付け孔
２２ｇ  取り付け孔
２３，４８  ネジ
２４  ブシュ
２４ａ  中心孔
２５  連結板
２５ａ  軸取り付け孔
２５ｂ，２７ｂ，２７ｃ，３１ｂ  孔
２６  軸部材
２６ａ  軸部
２６ｂ  雌ネジ造成用のネジ
２７  歯車カバー
２７ａ  スリット
２８  ビス
３０  歯車カバー保持部材
３０ａ  ローラ挿通孔
３１  ローラ
３４  ベアリング部材
４４ｄ  矩形枠
４４ｅ  切り欠き部
４５ｅ  端面
【図１】
2008255773.tif 000003
【図２】
2008255773.tif 000004
【図３】
2008255773.tif 000005
【図４】
2008255773.tif 000006
【図５】
2008255773.tif 000007
【図６】
2008255773.tif 000008
【図７】
2008255773.tif 000009
【図８】
2008255773.tif 000010
【図９】
2008255773.tif 000011
【図１０】
2008255773.tif 000012
【図１１】
2008255773.tif 000013